(57)【要約】【課題】受信したメールがテキスト文だけであったとしても、メール表示の際には、予め受信側の通信端末装置内で記憶、設定したデコレーションデータを自動再生可能な通信端末装置を提供する。【解決手段】所定のメール内容とメールを装飾するデコレーションデータとを対応させて記憶する記憶部９と、受信したメール２を解析して所定のメール内容が含まれているかどうかを判別するメール解析部３と、メール解析部３で含まれていると判別された所定のメール内容に応じて、デコレーションデータ８をメール表示時に再生する制御部７とを備える。【選択図】図１
2007164469.tif 000002
【特許請求の範囲】
【請求項１】
予め所定のメール内容とメールを装飾するデコレーションデータとを対応させて記憶する記憶部と、
メールを解析して前記所定のメール内容が含まれているかどうかを判別するメール解析部と、
前記メール解析部で含まれていると判別された前記所定のメール内容に応じて、前記デコレーションデータをメール表示時に再生する制御部と、
を備える通信端末装置。
【請求項２】
前記メールは前記通信端末で受信されたメール、あるいは、前記通信端末内で作成されたメールである
請求項１に記載の通信端末装置。
【請求項３】
前記記憶部は、前記所定のメール内容と優先順位とを対応させて記憶する手段を含み、
前記制御部は、前記優先順位で優先とされる前記所定のメール内容に応じて、前記デコレーションデータをメール表示時に再生する手段を含む、
請求項１または請求項２に記載の通信端末装置。
【請求項４】
メールを受信した日時を抽出するタイマーをさらに備え、
前記記憶部は、前記優先順位と日時とを対応させて記憶する手段を含み、
前記制御部は、前記タイマーで抽出された日時に応じて前記優先順位を変更する手段を含む、
請求項３に記載の通信端末装置。
【請求項５】
前記記憶部は、前記所定のメール内容と日時を対応させて記憶する手段を含み、
前記制御部は、前記メール解析部で前記所定のメール内容が含まれていないと判別した場合には、前記記憶部に記憶された前記所定のメール内容のうち前記タイマーで抽出された日時と対応する前記所定のメール内容に応じて、前記デコレーションデータをメール表示時に再生する手段を含む、
請求項４に記載の通信端末装置。
【請求項６】
前記制御部は、前記メール解析部より解析された前記所定のメール内容を記憶する手段と、
前記メール解析部で解析され、記憶された前記所定のメール内容に応じて、前記デコレーションデータをメール表示時に再生する手段を含む、
請求項１乃至請求項５のいずれかに記載の通信端末装置。
【請求項７】
前記記憶部は、メール送信者と前記デコレーションデータの再生可否とを対応させて記憶する手段を含み、
前記制御部は、前記デコレーションデータの再生可否に応じて、前記デコレーションデータを再生するか否かを制御する手段を含む、
請求項１乃至請求項６のいずれかに記載の通信端末装置。
【請求項８】
前記記憶部は、メール送信者を分類したグループと前記所定のメール内容との組み合わせに前記デコレーションデータを対応させて記憶する手段とを含み、
前記制御部は、前記メール解析部で前記所定のメール内容が含まれていると判別された場合には、前記メール送信者に対応する前記グループと前記所定のメール内容に応じて、前記デコレーションデータをメール表示時に再生する手段を含む、
請求項１乃至請求項７のいずれかに記載の通信端末装置。
【請求項９】
前記制御部は、メール解析部でメールに含まれていると判別された前記所定のメール内容を表示する手段と、
表示された前記所定のメール内容のうち、通信端末装置使用者によって選択された前記所定のメール内容に応じて、前記デコレーションデータを再生する手段を含む、
請求項１乃至請求項８のいずれかに記載の通信端末装置。
【請求項１０】
前記デコレーションデータおよび前記デコレーションデータに対応する前記所定のメール内容を通信端末装置の外部で記憶する外部デコレーションデータ記憶部と接続する外部データ接続部
をさらに備える請求項１乃至請求項９のいずれかに記載の通信端末装置。
【発明の詳細な説明】
【技術分野】
【０００１】
本発明は、メールを装飾するデコレーションデータを再生する通信端末装置に関する。
【背景技術】
【０００２】
携帯端末などの通信端末装置では、文字からなるテキストを表示するだけでなく、アニメーション、メロディの再生や、ＬＥＤの点灯などの装飾、制御を伴いながらメール閲覧が可能である。これは、送信者側がメールに予めそれら装飾を構成するデータを添付し、送信することによって行なわれている。
【０００３】
このように、受信したメールに対して様々な装飾、制御を付加する発明がなされている。例えば、エンタテイメント性を持たせるため、受信メール内容に応じて香りを発生させる発明が特許文献１に記載されている。また、セキュリティ性を持たせるため、受信メール内容に応じて通信端末装置を制御する発明が特許文献２に記載されている。
【０００４】
【特許文献１】特開２００２−２５２６８６号公報
【特許文献２】特開２００１−８２７０号公報
【発明の開示】
【発明が解決しようとする課題】
【０００５】
従来の携帯端末などの通信端末装置間のメール送受信において、メール受信側でアニメーション、メロディを再生するためには、送信側がメールにアニメーションデータ、メロディデータなどのメールを装飾するデータ（以下、デコレーションデータ）を添付、明示する必要がある。しかし、このデコレーションデータはデータ量が大きく、送信・受信にかかる料金負担を重くする原因となっている。また、メロディの送信についてはメロディデータのコピー防止のため、自作のメロディしか転送できない場合が多い。さらに、送信側がテキストのみのメールを送信した場合、受信側はテキストのみのメール閲覧しかできなかった。
【０００６】
本発明は上記の問題を解決するためになされたものであり、送信側がデコレーションデータを添付しなくても、受信側のメール閲覧時にアニメーション、メロディを自動的に再生することができる通信端末装置を提供することを目的とする。
【課題を解決するための手段】
【０００７】
本発明に係る通信端末装置は、所定のメール内容とメールを装飾するデコレーションデータとを対応させて記憶する記憶部と、受信したメールを解析して前記所定のメール内容が含まれているかどうかを判別するメール解析部と、前記メール解析部で含まれていると判別された前記所定のメール内容に応じて、前記デコレーションデータをメール表示時に再生する制御部とを備える。
【発明の効果】
【０００８】
本発明によれば、受信したメールがテキスト文だけであったとしても、メール表示の際には、予め受信側の通信端末装置内で記憶、設定したデコレーションデータを自動再生することができため、楽しいメール閲覧が可能になる。さらに、データ容量の大きいデコレーションデータを送信・受信する必要がなくなり、それに伴う料金負担を軽減させることができる。また、コピー防止の対象となっているメロディを送信者側のメール内容に合わせながら再生することができる。
【発明を実施するための最良の形態】
【０００９】
＜実施の形態１＞
図１は、本実施の形態に係る通信端末装置の構成をブロック図で示したものである。本実施の形態に係る通信端末は、メール送受信部１、メール２、メール解析部３、記憶設定部４、表示部５、メロディ再生部６、制御部７、デコレーションデータ８、記憶部９、操作部１０、外部データ接続部１１、外部デコレーションデータ記憶部１２、タイマー１３を備えている。
【００１０】
メール２はメール送受信部１を介して記憶部９で記憶保持される。記憶部９には、メール２を装飾するデコレーションデータ８も記憶保持されている。メール解析部３は受信したメール２の内容を解析し、メール２に含まれるキーワードや文章であるメール内容を抽出する。設定記憶部４では、ユーザの設定によってデコレーションデータ８とメール２に含まれると予想されるメール内容とを予め対応づけた設定を記憶する。表示部５はメール２のテキスト、及び、デコレーションデータ８のアニメーションを表示し、メロディ再生部６はデコレーションデータ８のメロディを再生する。上記各部の制御は制御部７によって行なわれる。ユーザは、操作部１０を介して制御部７に命令を行なう。外部データ接続部１１は、通信端末装置の外部でデコレーションデータ８を記憶している外部デコレーションデータ記憶部１２に接続する。外部デコレーションデータ記憶部１２は例えばＷＥＢサーバや外部メディアが該当する。
【００１１】
図２、図３は、本実施の形態１の通信端末装置の動作を示したフローチャートであり、図２はメール表示前に行なう前処理、図３はメール表示時の処理を示したものである。以下、順に説明する。
【００１２】
＜前処理＞
メール表示を行なう前処理を図２のフローチャートに示す。まず、ユーザによる設定工程を行なう（ＳＴ−２１）。この設定工程とは、予めデコレーションデータ８を通信端末装置に記憶し、メール２の本文に含まれると予想されるメール内容（所定のメール内容）との対応づけを設定記憶部４に記憶する工程をいう。所定のメール内容とは、メール本文に含まれるキーワード、あるいは、文章などであるが、これに限られない。またメール送信者等のメール本文以外の要素を所定のメール内容として扱ってもよい。
【００１３】
本発明では、デコレーションデータ８が受信側における通信端末装置の記憶部９などに記憶されている必要がある。そのため、受信側に記憶されていない場合には、ユーザが作成して記憶する。あるいは、外部データ接続部１１を介して外部デコレーションデータ記憶部１２に接続し、ダウンロードによりデコレーションデータ８を通信端末装置内に記憶する。
【００１４】
その後、記憶したデコレーションデータ８と所定のメール内容との対応付けを設定記憶部４に記憶する。その例を図７に示す。ここでは所定のメール内容として、「誕生日」、「花火」、「お正月」などのメール２に含まれる可能性が高いキーワードを用いており、キーワードにデコレーションデータ８を対応付けている。
【００１５】
さらに図８のようにキーワードに様々な要素を対応付ける。ここではキーワードに優先順位、および、日時（季節を含む）を対応付けている。この日時は春、夏、秋、冬、あるいは、朝、昼、晩、などの言葉によって対応でもよいし、数字で対応付けても良い。
【００１６】
以上の設定工程とは別の前処理として、受信したメール２から所定のメール内容を抽出する工程を行なう。具体的に図２のフローチャートに従って説明する。まず、メール解析部３は受信したメール２を読み出す（ＳＴ−２２）。そして、メール２を解析してテキスト文などから所定のメール内容を抽出する（ＳＴ−２３）。この結果は例えば図９のようになる。
【００１７】
ここで、図９の抽出結果に設定工程で設定した図８の設定を用いて、図１０のように受信したメール２から一つのキーワードを抽出する。以下、図９の受信メール番号順に説明する。
【００１８】
図９の受信メールＡでは、「車」、「お正月」、「誕生日」という複数のキーワードが抽出されている。ここで、設定工程でキーワードに対応付けた優先順位を用いてキーワードを抽出する。ここでは、「車」、「お正月」、「誕生日」のうち、図８で一番高く優先順位が設定された「誕生日」というキーワードが抽出されることになる。
【００１９】
図９の受信メールＢでは、「プール」、「花火」、「誕生日」が抽出されている。上記の優先順位の方法だけであれば、「誕生日」というキーワードが用いられることになるが、ここでは優先順位を受信日時によって変更する。この受信日時はタイマー１３によって抽出される。具体的には、タイマー１３から抽出される受信日時と、設定工程の日時とを比較し、一致するキーワードの優先順位を変更するようにする。この設定は例えば、ユーザがオプションとして予め行なうようにすることができる。ここでは、受信日時がタイマー１３から夏と判定された場合には、図８の「花火」、「プール」の優先順位が上がる。さらに夜であれば、「花火」の優先順位がさらに上がる。
【００２０】
図９の受信メールＣでは、１つもキーワードも抽出されていない。この場合には、タイマー１３から抽出される受信日時と、設定工程で設定した日時に対応するキーワードを抽出する。複数該当する場合は、ランダムに抽出する。例えば、タイマー１３が受信日時を１月１日として抽出した場合には、図８で冬と設定された「お正月」というキーワードが抽出されることになる。
【００２１】
以上、メール内容としてキーワードを用いたが、テキスト文に含まれる文章などを用いてもよい。こうして、図１０のように所定のメール内容が抽出された場合には、当該所定のメール内容をメール２に付加して記憶部９などに記憶する（ＳＴ−２４）。
【００２２】
このメール内容を記憶する前処理によって、メール閲覧のたびにメール２を解析する必要がなくなるため、メール解析に使用される時間を削除することができる。なお、このメール解析は、ユーザが意識的に操作することなく自動的に行なわれるようにする。例えば、メール受信時、または初回のメール閲覧時などに行う。前者であれば初回のメール閲覧時からこの処理の時間を削除することができ、後者であれば２回目以降のメール閲覧時からこの処理の時間を削除することができる。
【００２３】
＜メール表示＞
以上のメール内容の抽出、設定工程などの前処理が行なわれたものとして、ここでは図３のフローチャートを用いて、メール表示時に行なう処理について説明する。まず、制御部７は表示するメール２と、前処理によって記憶した図１０のような所定のメール内容を読み出す（ＳＴ−３１）。そして、前処理によって設定記憶部４に予め記憶させた図７のような所定のメール内容とデコレーションデータ８とを対応付けた設定を読み出す（ＳＴ−３２）。
【００２４】
以上のように読み出した図７と図１０とに基づいて、デコレーションデータ８を決定する（ＳＴ−３３）。例えば、設定記憶部４で記憶した図７の設定から、図１０のキーワード「誕生日」に対応するデコレーションデータ８（ケーキアニメ、誕生日メロディ）を決定する。
【００２５】
決定されたデコレーションデータ８が記憶されている場合には、メールのテキスト文の表示とともにデコレーションデータ８の再生、つまり、表示部５でのアニメーションデータの再生、メロディ再生部６でのメロディデータの再生を行なう（ＳＴ−３４）。
【００２６】
以上の動作により、図１６のように、受信したメールがテキスト文だけであったとしても、メール閲覧する際には、予め受信側の通信端末装置内で記憶、設定したデコレーションデータ８を自動再生することができる。これにより、楽しいメール閲覧か可能となる。さらに、データ容量の大きいデコレーションデータ８を送信・受信する必要がなくなり、それに伴う料金負担を軽減させることができる。また、コピー防止の対象となっているメロディを送信者側のメール内容に合わせながら再生することができる。
【００２７】
また、複数のメール内容が抽出された場合であっても、予め設定された優先順位によって、メール表示時にはデコレーションデータ８の決定を自動的に行なうことができる。
【００２８】
また、受信した月日、時刻に対応するメール内容を優先的に使用することにより、受信状況に応じたデコレーションデータ８を自動的に再生することができる。
【００２９】
また、メール内容が抽出されなかった場合には、受信した月日、時刻に対応するメール内容を用いることで、デコレーションデータ８を再生することができる。
【００３０】
さらに、デコレーションデータ８を自作しなくても、外部データ接続部１１を介してＷＥＢサーバや外部メディアなどに接続し、ダウンロードすることにより、常に新しいデコレーションデータ８を用いることができる。
【００３１】
＜実施の形態２＞
本実施の形態に係る通信端末装置の構成は実施の形態１で示した図１のブロック図と同じである。
【００３２】
メール２はメール送受信部１を介して記憶部９で記憶保持される。記憶部９には、メール２を装飾するデコレーションデータ８も記憶保持されている。メール解析部３は受信したメール２の内容を解析し、メール２に含まれるキーワードや文章などのメール内容を抽出する。設定記憶部４では、ユーザの設定によってデコレーションデータ８とメール２に含まれると予想されるメール内容とを予め対応づけた設定を記憶する。表示部５はメール２のテキスト、及び、デコレーションデータ８のアニメーションを表示し、メロディ再生部６はデコレーションデータ８のメロディを再生する。以上各部の制御は制御部７によって行なわれる。ユーザは、操作部１０を介して制御部に命令を行なう。外部データ接続部１１は、通信端末装置の外部でデコレーションデータ８を記憶している外部デコレーションデータ記憶部１２に接続する。外部デコレーションデータ記憶部１２は例えばＷＥＢサーバや外部メディアが該当する。制御部７には、現在の時刻を知らせるタイマー１３が接続されている。
【００３３】
図４、図５は、本実施の形態２の通信端末装置の動作を示したフローチャートであり、図４はメール表示前に行なう前処理、図５はメール表示時の処理を示したものである。以下、順に説明する。
【００３４】
＜前処理＞
メール表示を行なう前処理を図４のフローチャートに示す。まず、ユーザによる設定工程を行なう（ＳＴ−４１）。この設定工程とは、予めデコレーションデータ８を通信端末装置に記憶し、その対応づけを設定記憶部４に記憶する工程をいう。本実施の形態では、キーワードに対応付けていた実施の形態１と異なり、キーワードとメール送信者との組み合わせによりデコレーションデータ８を対応付ける。
【００３５】
本発明では、デコレーションデータ８が受信側における通信端末装置の記憶部９などに記憶されている必要がある。そのため、通信端末装置に記憶されていない場合には、ユーザが作成して記憶する。あるいは、外部データ接続部１１を介して外部デコレーションデータ記憶部１２に接続し、ダウンロードによりデコレーションデータ８を通信端末装置内に記憶する。
【００３６】
その後、図１１のようにキーワードと送信者の組み合わせに、デコレーションデータ８を対応付ける。ここではキーワードとして、「誕生日」、「花火」、「お正月」などのメール本文に含まれる可能性が高いキーワードを用いている。
【００３７】
図１１と同じ機能を、図１２、図１３のように２つの表に分けて設定しても良い。図１２では、メール送信者の特徴によりテーマ（デコレーションデータの雰囲気）ごとにまとめたものである。図１３では、テーマとキーワードとを組み合わせ、キーワードに対してテーマごとにデコレーションデータ８を対応付けている。例えば「かっこいい／誕生日」は、図７を参照して、かっこいい雰囲気にアレンジされたケーキアニメと誕生日の曲のデコレーションデータを意味している。このようにメール送信者をテーマごとにまとめれば、対応付けの数を減らすことができる。
【００３８】
さらに、設定工程で図１４のようにメール送信者に、デコレーションデータを再生するか否かの制御を対応付ける設定を行なう。
【００３９】
以上の設定工程とは別の前処理として、受信したメール２からメール内容を抽出する工程を行なう。具体的に図４のフローチャートに従って説明する。まず、メール解析部３は受信したメール２を読み出す（ＳＴ−４２）。そして、メール２を解析してテキスト文などから所定のメール内容（キーワード）を抽出する（ＳＴ−４３）。この抽出は実施の形態１と同様である。その結果、図１０のようにキーワードが抽出され、キーワードをメール２に付加して記憶部９などに記憶する。ここで、後の便宜のため、図１０のかわりに、メール送信者とペアにして図１５のように記憶していも良い（ＳＴ−４４）。
【００４０】
＜メール表示＞
以上のキーワードの抽出、設定工程などの前処理が行なわれたものとして、ここでは図５のフローチャートを用いて、メール表示時に行なう処理について説明する。まず、制御部７は表示するメール２と、前処理によって記憶した図１５のような所定のメール内容（キーワード）を読み出す（ＳＴ−５１）。そして、前処理によって設定記憶部４に予め記憶させた図１１、あるいは、図１２及び図１３、図１４のようなデコレーションデータ８に対応付けた設定を読み出す（ＳＴ−５２）。
【００４１】
図１４のように、デコレーションデータ８を再生するか否かの制御が設定されている場合には、その設定に従ってデコレーションデータ８を再生するか否かを制御する（ＳＴ−５３）。そして、ＳＴ−５３でデコレーションデータ８を全部あるいは一部再生すると判定された場合には、図１５のキーワードとメール送信者に対応するデコレーションデータ８を図１１、あるいは、図１２及び図１３により決定する（ＳＴ−５４）。例えば、図１５の受信メール１では「誕生日」というキーワード、および、送信者に太郎が記憶されている。ここで、設定記憶部４で記憶した図１２よりテーマ「かっこいい」を抽出する。そして、図１３からキーワード「誕生日」のデコレーションデータ８のうち、テーマ「かっこいい」に対応するデコレーションデータ８（かっこいい／誕生日）を決定する。
【００４２】
決定されたデコレーションデータ８が記憶されている場合には、メールのテキスト文の表示とともにデコレーションデータ８の再生、つまり、表示部５でのアニメーションデータの再生、メロディ再生部６でのメロディデータの再生を行なう（ＳＴ−５５）。
【００４３】
さらに、ＳＴ−５５でメール２を閲覧している際に、ユーザに所定メール内容（キーワード）の候補を知らせ、ユーザの操作でデコレーションデータ８を変更できるようにする（ＳＴ−５６）。例えば、キーワード候補が複数ある場合に、該当するキーワードとポインタを表示する。ユーザはポインタでキーワードを選択した場合には、そのキーワードのデコレーションデータ８を再生するようにする。選択されなかった場合には、メール表示を終了する。
【００４４】
以上の動作により、メール送信者に応じてデコレーションデータ８の再生制御を行なうことができる。
【００４５】
また、メール送信者にテーマを設定し、デコレーションデータ８をテーマ別に保持することによって、同じメール内容であってもメール送信者の特徴、イメージに応じたデコレーションデータ８を再生することができる。
【００４６】
さらに、複数のキーワードが抽出され、上記自動デコレーションデータ再生機能を用いても、違和感のあるデコレーションデータ８が再生された場合がある。この場合を想定した方法として、メール閲覧時にユーザがメール内容を選択し、選択されたデコレーションデータ８を再生することで、適切なキーワードを用いたデコレーションデータ再生が可能となる。
【００４７】
＜実施の形態３＞
本実施の形態は、以上の実施の形態で示したデコレーションデータ８の自動再生機能を用いて、メール送信前、あるいは、メール作成時にデコレーションデータ８が再生される様子を確認できるようにする。具体的な通信端末装置の構成は図１と同様である。以下、実施の形態２の自動再生機能と同じものとして、図６のフローチャートを用いて、メール送信前のデコレーションデータ８の再生機能を説明する。なお、前処理のうち、設定工程はすでに行われているものとする。
【００４８】
＜メール表示＞
まず、メール解析部３はメール作成後、メール送信前にメール２を読み出し、メール２を解析して図１５のようなメール内容を読み出す（ＳＴ−６１）。そして、前処理によって設定記憶部４に予め記憶させた図１１、あるいは、図１２及び図１３、図１４（ただし、送信者を受信者として読み替え）のようなデコレーションデータ８に対応付けた設定を読み出す。そして、メール内容、メール受信者、あるいは、テーマに基づいて、対応するデコレーションデータを決定する（ＳＴ−６２）。そして、決定されたデコレーションデータが記憶されている場合には、メールのテキスト文の表示とともにデコレーションデータ８の再生、つまり、表示部５でのアニメーションデータの再生、メロディ再生部６でのメロディデータの再生を行なう（ＳＴ−６３）。さらに、ＳＴ−６３でメール２を閲覧している際に、ユーザにキーワード候補を知らせ、ユーザの操作でデコレーションデータを変更できるようにする。（ＳＴ−６４）。例えば、キーワード候補が複数ある場合に、該当するキーワードとポインタを表示する。ユーザがポインタでキーワードを選択した場合には、そのキーワードのデコレーションデータ８を再生するようにする。選択されなかった場合には、メール表示を終了する。
【００４９】
これにより、作成したテキストメールではどのようなデコレーションデータの再生が可能か、または、どのように表示されるかを確認することができる。
【図面の簡単な説明】
【００５０】
【図１】実施の形態１に係る通信端末装置のブロック図である。
【図２】実施の形態１に係る通信端末装置の動作手順を示すフローチャートである。
【図３】実施の形態１に係る通信端末装置の動作手順を示すフローチャートである。
【図４】実施の形態２に係る通信端末装置の動作手順を示すフローチャートである。
【図５】実施の形態２に係る通信端末装置の動作手順を示すフローチャートである。
【図６】実施の形態３に係る通信端末装置の動作手順を示すフローチャートである。
【図７】実施の形態１に係る通信端末装置における対応関係を表す図である。
【図８】実施の形態１に係る通信端末装置における対応関係を表す図である。
【図９】実施の形態１に係る通信端末装置における対応関係を表す図である。
【図１０】実施の形態１に係る通信端末装置における対応関係を表す図である。
【図１１】実施の形態１に係る通信端末装置における対応関係を表す図である。
【図１２】実施の形態２に係る通信端末装置における対応関係を表す図である。
【図１３】実施の形態２に係る通信端末装置における対応関係を表す図である。
【図１４】実施の形態２に係る通信端末装置における対応関係を表す図である。
【図１５】実施の形態２に係る通信端末装置における対応関係を表す図である。
【図１６】本発明に係る通信端末装置の動作を表す図である。
【符号の説明】
【００５１】
１  メール送受信部、２  メール、３  メール解析部、４  設定記憶部、５  表示部、６  メロディ再生部、７  制御部、８  デコレーションデータ、９  記憶部、１０  操作部、１１  外部データ接続部、１２  外部デコレーションデータ記憶部。
【図１】
2007164469.tif 000003
【図２】
2007164469.tif 000004
【図３】
2007164469.tif 000005
【図４】
2007164469.tif 000006
【図５】
2007164469.tif 000007
【図６】
2007164469.tif 000008
【図７】
2007164469.tif 000009
【図８】
2007164469.tif 000010
【図９】
2007164469.tif 000011
【図１０】
2007164469.tif 000012
【図１１】
2007164469.tif 000013
【図１２】
2007164469.tif 000014
【図１３】
2007164469.tif 000015
【図１４】
2007164469.tif 000016
【図１５】
2007164469.tif 000017
【図１６】
2007164469.tif 000018